(57)【要約】帰還ループを有する装置を、帰還ループの中断後に、過渡状態を発生することなく定常状態動作を再開することを可能にするシステムであって、このシステムは一般に、負荷に状態変数値を与える第１回路と、（ｉ）前記第１回路を制御して、（ｉｉ）前記負荷に与えた前記状態変数値を監視して、（ｉｉｉ）前記第１回路を制御して所望の状態変数値に応じて前記負荷に与えた前記状態変数値を調整する第２回路とを具えている。前記第１及び第２回路及び前記負荷が帰還ループを規定する。前記第２回路はさらに、第１状態及び第２状態を有する制御信号を受信する入力を具え、前記第１状態では、前記第２回路が前記第１回路に、前記負荷に前記状態変数値を供給することを許可し、前記第２状態では、前記第２回路が前記第１回路に、前記負荷に前記状態変数値を供給することを禁止して、これにより前記帰還ループを中断させる。前記システムはさらに、前記与えた状態変数値を記憶して、前記帰還ループの中断中に、前記記憶している状態変数値の減衰を防止する第３回路を具えている。前記制御信号が前記第１状態に戻る際に、前記帰還ループが動作を再開して、前記記憶している状態変数値に応じた定常状態動作に戻って、これによりシステムにおける過渡状態の発生をほとんど防止する。【特許請求の範囲】
【請求項１】
帰還ループの中断後の、帰還ループの定常状態動作の再開時の過渡状態をほとんど除去するシステムであって、このシステムが、
負荷に状態変数値を与える第１回路と；
前記第１回路を制御して、前記負荷に与えた前記状態変数値を監視して、所望の状態変数値に応じて前記第１回路を制御して前記負荷に与えた前記状態変数値を調整する第２回路とを具えて、前記第１回路及び前記第２回路と前記負荷とが帰還ループを規定して、前記第２回路がさらに、第１状態及び第２状態を有する制御信号を受信する入力を具え、前記第１状態では、前記第２回路が前記第１回路に、前記負荷に前記状態変数値を与えることを許可し、前記第２状態では、前記第２回路が前記第１回路に、前記負荷に前記状態変数値を与えることを禁止して、これにより前記帰還ループを中断させて；
前記システムがさらに、前記与えた状態変数値を記憶して、前記帰還ループの中断中に、前記記憶している状態変数値の減衰を防止する第３回路を具え、前記制御信号が前記第１状態に戻る際に、前記帰還ループが動作を再開して、前記記憶している状態変数値に応じた定常状態動作に戻って、これにより、前記システムにおける過渡状態の発生をほとんど防止するようにしたことを特徴とするシステム。
【請求項２】
帰還ループの中断後の、帰還ループの定常状態動作の再開時の過渡状態をほとんど除去するシステムであって、このシステムが、
負荷に電力を供給する第１回路と；
前記第１回路を制御して、前記負荷に供給している電力を監視して、所定量の電力に応じて前記第１回路を制御して前記負荷に供給する電力を調整する第２回路とを具えて、前記第１回路及び前記第２回路と前記負荷とが帰還ループを規定して、前記第２回路がさらに、第１状態及び第２状態を有する制御信号を受信する入力を具えて、前記第１状態では、前記第２回路が前記第１回路に、前記負荷に電力を供給することを許可し、前記第２状態では、前記第２回路が前記第１回路に、前記負荷に電力を供給することを禁止して、これにより前記帰還ループを中断させて；
前記システムがさらに、前記負荷に供給している電力を表現する信号を記憶して、前記帰還ループの中断中に、前記記憶している信号の減衰を防止する第３回路を具え、前記制御信号が前記第１状態に戻る際に、前記帰還ループが動作を再開して、前記記憶している信号に応じた定常状態動作に戻って、これにより、前記システムにおける過渡状態の発生をほとんど防止するようにしたことを特徴とするシステム。
【請求項３】
前記第３回路が、前記制御信号に応答する制御装置と、前記負荷に供給している電力を表現する信号を記憶する信号記憶装置とを具えて、前記制御信号が前記第２状態を有して前記帰還ループが中断された際に、前記制御装置が、前記信号記憶装置に記憶している信号の減衰を防止するようにしたことを特徴とする請求項２に記載のシステム。
【請求項４】
前記信号記憶装置がキャパシタ及び抵抗を具えて、前記制御装置がスイッチを具えて、該スイッチが、前記キャパシタ及び前記抵抗を並列回路に構成するスイッチの第１状態と、前記キャパシタを前記抵抗から隔離して前記キャパシタに記憶している信号の減衰を防止するスイッチの第２状態とを有して、前記制御信号が制御信号の第１状態を有する際に、前記スイッチを前記スイッチの第１状態に構成して、前記制御信号が制御信号の第２状態を有する際に、前記スイッチを前記スイッチの第２状態に構成することを特徴とする請求項３に記載のシステム。
【請求項５】
前記スイッチがトランジスタであることを特徴とする請求項４に記載のシステム。
【請求項６】
ランプを有する負荷に給電する安定器であって、この安定器が、
ランプに電力を供給する電力回路と；
前記電力回路を制御して、前記ランプに供給する電力を監視して、所定量の電力に応じて前記電力回路を制御して前記ランプに供給する電力を調整する制御回路とを具えて、前記制御回路及び前記電力回路と前記ランプとが帰還ループを規定して、前記制御回路がさらに、第１状態及び第２状態を有する制御信号を受信する入力を具え、前記第１状態では、前記制御回路が前記電力回路に、前記ランプに電力を供給することを許可し、前記第２状態では、前記制御回路が前記電力回路に、前記ランプに電力を供給することを禁止して、これにより前記帰還ループを中断させて；
前記安定器がさらに、前記ランプを減光させる減光回路を具えて、この減光回路が制御信号を発生する回路を具えて、前記制御信号の第１状態が前記ランプの照射を行うものであり、前記制御信号の第２状態が、前記帰還ループを中断させて前記ランプの照射を中止させるものであり；
前記安定器がさらに、前記負荷に供給している電力を表現する信号を記憶して、前記帰還ループの中断中に、前記記憶している信号の減衰を防止する記憶回路を具えて、これにより、前記制御信号が前記第１状態に戻る際に、前記帰還ループが動作を再開して、前記記憶している信号に応じた定常状態動作に戻ることを可能にして、前記記憶回路が、前記制御信号に応答する制御装置と記憶装置とを具えて、前記制御信号が前記第２状態を有して前記帰還ループが中断された際に、前記制御装置が、前記記憶装置に記憶している信号の減衰を防止するようにしたことを特徴とする安定器。
【請求項７】
前記制御装置が前記制御信号に応答するスイッチを具えて、前記記憶装置がキャパシタ及び抵抗を具えて、前記制御信号が前記第１状態を有する際に、前記スイッチが前記キャパシタ及び前記抵抗を並列回路に構成して、前記制御信号が前記第２状態を有する際に、前記スイッチが前記キャパシタを前記抵抗から隔離して、前記キャパシタに記憶している信号の減衰を防止することを特徴とする請求項６に記載の安定器。
【請求項８】
ランプに給電する安定器を動作させる方法であって、この方法が、
前記ランプに電力を供給するステップと；
前記ランプに供給している電力を表現する信号を記憶するステップと；
前記ランプに供給している電力を監視するステップと；
所定の電力に応じて、前記ランプに供給している電力を調整するステップとを具えて、前記供給、監視、及び調整のステップが、前記安定器の帰還ループ動作を規定して、
この方法がさらに、前記供給、監視、及び調整のステップを中断して、これにより前記ランプの減光を行うステップと；
前記供給、監視、及び調整のステップを再開して、これにより前記帰還ループ動作を、前記記憶している信号に応じた定常状態動作に戻すステップと
を具えていることを特徴とする安定器の動作方法。
【請求項９】
前記記憶のステップが、前記ランプに供給している電力を表現する信号を記憶して、前記帰還ループ動作の中断中に、前記記憶している信号の減衰を防止する記憶回路を用意するステップから構成されることを特徴とする請求項８に記載の方法。
【請求項１０】
前記記憶回路が、スイッチと、キャパシタ及び抵抗の組合わせとを具えて、前記スイッチが第１構成及び第２構成を有して、前記第１構成では、前記スイッチが前記キャパシタと前記抵抗とを並列回路に配置して、前記第２構成では、前記スイッチが前記キャパシタを前記抵抗から隔離して、前記キャパシタに記憶している信号の減衰を防止して、
前記中断のステップがさらに、前記スイッチを制御して前記第２構成にするステップを具えて；
前記再開のステップがさらに、前記スイッチを制御して前記第１構成にするステップを具えている
ことを特徴とする請求項９に記載の方法。
【発明の詳細な説明】
【０００１】
（技術分野）
本発明は一般に、中断のある帰還ループ動作用の回路に関するものである。
【０００２】
（従来技術）
帰還ループは電子システムまたは電子機械システムにおいて、対象のパラメータを調整するために通常用いられている。例えば帰還ループは、蛍光ランプ用の安定器におけるランプ電流またはランプ電力を調整するために用いることができる。多くの例において、帰還ループ動作を中断させる必要がある。例えば、安定器内のランプ電流またはランプ電力を調整するために用いる帰還ループは、ランプをオン状態及びオフ状態にする時間を調整することによってランプを減光するために中断される。こうした調整を達成するために通常、パルス幅変調（ＰＷＭ：Ｐｕｌｓｅ Ｗｉｄｔｈ Ｍｏｄｕｌａｔｉｏｎ）を用いる。このため、ランプがオン状態である際には、前記帰還ループが安定器内のランプ電流またはランプ電力を調整しているが、ランプがオフ状態である際には帰還ループ動作を中断させる。
【０００３】
帰還ループ動作の中断から生じる１つの問題は、中断時間中に、帰還ループにおける状態変数値が往々にして減衰して、定常状態の動作点から偏るということである。この減衰は一般に、通常、帰還ループ内のフィルタとして機能するＲＣ（抵抗−キャパシタ）回路網によるものである。ループ動作を再開する際には、定常状態動作に戻ることに関連する過渡状態が存在する。この過渡状態は一般に、偏った状態変数値によって悪化する。例えば、商業的に入手可能な、減光能力を有する特定の照明システムの１つでは、前記状態変数値がランプ電力であり、ＰＷＭ減光中に減衰が生じる。減衰の結果として、ランプ電力が低すぎるものとして帰還ループが動作するので、スイッチング周波数は最初に比較的低くなる。この低いスイッチング周波数が共振インダクタを飽和させることがあり、これにより回路内の電流が過剰になり、かつディスプレイにおける可視のフリッカが生じやすくなる。
【０００４】
この問題を解決する１つの試みは、回路の中断中に、前記状態変数値を動作中の値付近に拘束（クランプ）することである。動作を再開する際に、これらの状態変数値がほぼ正しい値になり、振幅及び／または持続時間の過渡状態が減少する。しかし回路構成要素の変化、及び動作条件の変化によって、異なった非理想的な拘束値になり得る。（入力電圧のような）動作条件が変化するので、前記状態変数の動作点が変化する。従って、固定した拘束値は単一の動作点についてのみ正しく、他のすべての条件については理想以下のものになる。
【０００５】
従って本発明の目的は、上述した従来法の回路に固有の問題を解決する帰還ループ中断回路を提供することにある。本発明の他の目的及び利点は、以下の本発明の記載に照らして、通常の当業者にとって明らかである。
【０００６】
（発明の開示）
本発明の１つの要点では、本発明は、帰還ループを中断させた後に、帰還ループの定常状態動作を再開する際の過渡状態をほとんど除去するシステムに指向したものである。このシステムは一般に、負荷に状態変数値を与える第１回路と、（ｉ）前記第１回路を制御し、（ｉｉ）前記負荷に与えた前記状態変数値を監視し、そして（ｉｉｉ）所望の状態変数値に応じて前記第１回路を制御して前記負荷に与えた前記状態変数値を調整する第２回路と、前記与えた状態変数値を記憶する第３回路とを具えている。前記第１及び第２回路と前記負荷とが帰還ループを規定する。前記第２回路はさらに、第１状態及び第２状態を有する制御信号を受信する入力を具えて、前記第１状態では、前記第２回路が前記第１回路に、前記負荷に前記状態変数値を与えることを許可し、前記第２状態では、前記第２回路が前記第１回路に、前記負荷に前記状態変数値を与えることを禁止して、これにより前記帰還ループを中断させる。前記第３回路は前記与えた状態変数値を記憶して、前記帰還ループの中断中に、前記記憶している状態変数値の減衰を防止する。前記制御信号が前記第１状態に戻る際に、前記帰還ループが動作を再開して前記記憶している状態変数値に応じた定常状態動作に戻り、これにより、システムにおける過渡状態の発生をほとんど防止することができる。
【０００７】
本発明の関連する要点では、本発明は、帰還ループを中断させた後に、帰還ループの定常状態動作を再開する際の過渡状態をほとんど除去するシステムに指向したものであり、ここではこのシステムが一般に、負荷に電力を供給する第１回路と、（ｉ）前記第１回路を制御し、（ｉｉ）前記負荷に供給する電力を監視し、そして（ｉｉｉ）所定量の電力に応じて前記第１回路を制御して、前記負荷に供給する電力を調整する第２回路と、前記負荷に供給する電力を表現する信号を記憶する第３回路とを具えている。前記第１及び第２回路と前記負荷とが帰還ループを規定する。前記第２回路はさらに、第１状態及び第２状態を有する制御信号を受信する入力を具え、前記第１状態では、前記第２回路が前記第１回路に、前記負荷に電力を供給することを許可し、前記第２状態では、前記第２回路が前記第１回路に、前記負荷に電力を供給することを禁止して、これにより前記帰還ループを中断させる。前記第３回路は前記負荷に供給する電力を記憶して、帰還ループの中断中に、前記記憶している信号の減衰を防止する。前記制御信号が前記第１状態に戻る際に、前記帰還ループが動作を再開して、前記記憶している信号に応じた定常状態動作に戻り、これにより、システムにおける過渡状態の発生をほとんど防止することができる。
【０００８】
本発明の他の要点では、本発明は、ランプを有する負荷に給電する安定器に指向したものであり、この安定器は、前記ランプに電力を供給する電力回路と、（ｉ）前記電力回路を制御し、（ｉｉ）前記ランプに供給する電力を監視し、そして（ｉｉｉ）所定量の電力に応じて前記電力回路を制御して前記ランプに供給する電力を調整する制御回路と、前記負荷に供給する電力を表現する信号を記憶する記憶回路とを具えている。前記制御回路及び前記電力回路と前記ランプとが帰還ループを規定する。前記制御回路はさらに、第１状態及び第２状態を有する制御信号を受信する入力を具え、前記第１状態では、前記制御回路が前記電力回路に、前記ランプに電力を供給することを許可し、前記第２状態では、前記制御回路が前記電力回路に、前記ランプに電力を供給することを禁止して、これにより前記帰還ループを中断させる。前記安定器はさらに、前記ランプを減光させる減光回路を具えている。この減光回路は制御信号を発生する回路を具え、この制御信号の第１状態が前記ランプの照射を行うものであり、この制御信号の第２状態が、前記帰還ループを中断させて前記ランプの照射を中止させるものである。前記記憶回路は、前記負荷に供給している電力を表現する信号を記憶して、前記帰還ループの中断中に、前記記憶している信号の減衰を防止して、これにより、前記制御信号が前記第１状態に戻る際に、前記帰還ループが動作を再開して、前記記憶している信号に応じた定常状態動作に戻ることができる。１つの好適例では、前記記憶回路が制御装置及び記憶装置を具えている。この制御装置は前記制御信号に応答して、前記制御信号が前記第２状態を有して前記帰還ループが中断された際に、前記制御装置が、前記記憶装置に記憶している信号の減衰を防止する。
【０００９】
本発明の他の要点では、本発明はランプに給電する安定器を動作させる方法に指向したものであり、この方法が、前記ランプに電力を供給するステップと、前記ランプに供給している電力を表現する信号を記憶するステップと、前記ランプに供給している電力を監視するステップと、所定の電力に応じて、前記ランプに供給している電力を調整するステップとを具えて、前記供給、監視、及び調整のステップが、前記安定器の帰還ループ動作を規定して、前記供給、監視、及び調整のステップを中断して、これにより前記ランプの減光を行って、前記供給、監視、及び調整のステップを再開して、これにより前記帰還ループ動作を、前記記憶している信号に応じた定常状態動作に戻す。
【００１０】
本発明の特徴は新規のものであり、本発明の特徴的な構成要素は、特に請求項に記載してある。本発明そのものは、構成及び動作方法共に、以下の図面を参照した詳細な説明より明らかになる。
【００１１】
（発明を実施するための最良の形態）
以下、本発明の実施例について図面を参照して説明する。
図１に、本発明のシステム１０のブロック図を示し、これは従来法の欠点に応えて、これを解決するものである。システム１０は一般に、制御、測定、処理回路１２と、電力回路１４と、状態変数値記憶回路２６とを具えている。これらの回路が協働して、負荷１８に供給する電力の量を調整する。負荷１８は、ほとんどすべての電子機器、電気機器、及び電気機械装置の形を取ることができる。
【００１２】
電力回路１４は、回路１２からの信号２０を受信すると、電力信号１９を負荷１８に供給する。制御回路１２は、制御信号２１を受信する入力を具えている。一具体例では、制御信号２１が電圧波形である。制御信号２１は第１状態及び第２状態を有する。第１状態では、制御信号２１が比較的高い振幅（例えば３．０Ｖ〜５．０Ｖ）を有する。第２状態では、制御信号２１が比較的低い振幅（例えば０．０Ｖ〜１．０Ｖ）を有する。一具体例では、制御信号２１が５０％のデューティサイクルを有する。制御信号２１が第１状態を有する際には、制御回路１２が電力回路１４に、電力を負荷１８に送ることを許可する信号２０を出力する。制御信号２１が第２状態を有する際には、制御回路１２が信号２０を出力しないで、これにより、電力回路１４が電力信号１９を負荷１８に送ることを禁止する。
【００１３】
図１に示すように、制御回路１２はさらに、ランプ電流信号及びランプ電圧信号２２のような対象のパラメータの測定を実行して、これらの信号をを処理して、負荷１８に供給する電力を調整するために用いる誤差訂正信号を発生する測定及び処理回路を具えている。制御回路１２は信号２４を供給して、この信号は瞬時負荷電力（例えば瞬時ランプ電力）を表わす。制御回路１２、電力回路１４、及び負荷１８が帰還ループを規定して、ここでは負荷１８に供給する電力を監視して、相応に調整する。
【００１４】
図１に示すように、回路１０はさらに、状態変数値記憶回路２６を具え、これは一般に、スイッチ２７、キャパシタ２８、及び抵抗２９から構成される。キャパシタ２８は、制御回路１２の状態変数値ＳＶピンと接地電位との間に接続する。スイッチ２７は制御信号２１によって制御される。制御信号２１が第１状態を有する際にはスイッチ２７が閉になって、信号２４がキャパシタ２８を充電して、キャパシタ２８と抵抗２９がＲＣ（抵抗−キャパシタ）回路網を形成する。キャパシタ２８及び抵抗２９は瞬時負荷電力の平均化を行う。このＲＣ回路網の時定数は１／ＲＣである。これにより、制御回路１２の状態変数値ＳＶピンに瞬時負荷電力が供給される。制御信号２１が第２状態を有する際には、スイッチ２７が開になって、これによりキャパシタ２８が抵抗２９から隔離されて、キャパシタ２８に記憶している状態変数値の減衰を防止する。
【００１５】
システム１０の動作の第１モード中には、制御信号２１が高レベルを有して、これにより制御回路１２を制御して、電力回路１４が負荷１８に電力を送ることを許可する。このモードの動作中には、制御回路１２、電力回路１４、及び負荷１８が構成する帰還ループが通常の方法で動作して、この方法では負荷１８に供給する電力を連続的に監視して調整する。動作の第２モードでは、帰還ループの動作を中断する。特に、制御信号２１が低レベルを有して、これにより制御回路１２が電力回路１４に、負荷１８に電力を供給することを禁止する。これに加えて、制御信号２１の低レベルによって前記スイッチを開にして、これによりキャパシタ２８を抵抗２９から隔離して、中断の持続時間中に、キャパシタ２８に記憶している状態変数値（例えば電圧）が減衰（または放電）することを防止する。このため、制御信号２１が前記第１状態（即ち動作の第１モード）に戻ってシステム１０を定常状態動作に戻す際には、制御回路１２の状態変数値ＳＶピンにおいて、中断の直前の瞬時負荷電力がまだ利用可能である。従って、中断の直前に存在したのとほぼ同じ瞬時負荷電力を用いて、帰還ループを定常状態動作に戻すことができる。結果として、帰還ループ動作を再開する際に、過渡的な振動、オーバシュート、及びパルスをほとんど除去することができる。
【００１６】
システム１０は多くの応用を有する。こうした応用の１つが、同一出願人による米国特許第５，６８０，０１７号、第５，７４２，１３４号、及び第６，０１１，３６０号に開示されている種類の蛍光ランプ安定器の動作におけるものであり、これらの特許の開示は参考文献として本明細書に含める。これらの種類の蛍光ランプ安定器は、ランプに減光能力を与える。しかしランプを減光させるために、蛍光ランプ安定器における帰還ループの中断が必要である。システム１０は、減光機能を完了して、安定器が定常状態動作に戻る際の過渡的な振動、オーバシュート、及びパルスをほとんど除去するために用いることができる。
【００１７】
図２に、蛍光ランプの安定器用に構成したシステム１０の一具体例の回路図を示す。本発明の理解を促進するために、以下の説明では、負荷１８は蛍光ランプとして記述する。制御、測定、及び処理回路１２は一般に、前述した米国特許第５，６８０，０１７号に記載の集積回路１０９として構成した集積回路５０を具えており、この特許は参考文献として本明細書に含める。本発明の理解を促進するため、及び簡単のために、集積回路５０の、ＶＤＤ、ＲＩＮＤ、ＬＩ２、ＶＬ、ＣＲＥＣＴ、ＲＲＥＦ、ＣＦ、ＣＰ、ＧＮＤ、ＤＩＭ、Ｇ１、Ｇ１、及びＦＶＤＤの各ピンの機能は、前述の米国特許第５，６８０，０１７号に記載の集積回路１０９の対応するピンと同一の機能を有するものとする。これに加えて集積回路５０の各ピンは、ＣＲＥＣＴピンを除いて、米国特許第５，６８０，０１７号に示す集積回路１０９の対応するピンに接続しているものと同一の回路構成に接続する。回路１２はさらに、制御信号２１が第１状態を有する際に集積回路５０の発振を可能にして、制御信号２１が第２状態を有する際に発振を中止させる追加的な回路を具えている。こうした動作特性は、参考文献として本明細書に含めた前述の米国特許に記載されている。この追加的な回路は、ＰＮＰトランジスタ５２、トランジスタ制御抵抗５４、トランジスタのベース駆動抵抗５６、及びダイオード５８から構成される。トランジスタ５２のエミッタは、集積回路の電源ＶＤＤに接続する。
【００１８】
図２に示すように、一具体例では、電源回路１４は、ハーフブリッジのトポロジに構成したＭＯＳＦＥＴ対と、米国特許第５，６８０，０１７号に記載の関連回路とを具えている。状態変数値記憶回路２６は、キャパシタ２８、抵抗２９、及びスイッチ２７から構成され、これらのすべては前の記述で説明している。スイッチ２７は、ＮＰＮトランジスタ６０及びトランジスタのベース駆動抵抗６２から構成される。動作の第１モードでは（即ち制御信号２１が高レベルを有する際には）、これによりトランジスタ６０が、抵抗２９を通って接地に至る電流径路を作る。結果として、米国特許第５，６８０，０１７号に記載のように集積回路５０が発振する。ＣＲＥＣＴピンから接地に流出する電流は、ランプ１８の平均電力を反映する。ランプ１８を減光させるためには、システム１０が動作の第２モードに移行しなければならない。このため、制御信号２１のレベルを低レベルに移行させる。結果として、回路５０が発振を中止してランプへの電力供給が終了する。結果的に、回路１２、回路１４、及びランプ１８が形成する帰還が中断される。ＮＰＮトランジスタ６０がオフ状態になって、これによりキャパシタ２８の電荷が隔離される。キャパシタ２８は、ＣＲＥＣＴピンにおける電荷を、漏洩電流を除いて、制御信号２１が高レベルに移行するまで一定に保持または記憶する。システム１０を定常状態動作に戻すために制御信号２１が第１状態に戻る際には、中断の直前の瞬時ランプ電力がまだ、集積回路５０のＣＲＥＣＴピンにおいて利用可能である。これにより帰還ループが、中断の直前に存在したのとほぼ同じ瞬時ランプ電力を用いて定常状態動作に戻ることができる。結果として、帰還ループを再開する際の、過渡状態の振動、オーバシュート、及びパルスをほとんど除去することができる。
【００１９】
こうして、本発明のシステム１０は：
帰還ループの動作を中断させるための、有効かつ廉価な技術を提供し；
構成要素の値及び動作条件に影響されない、不変かつ正確な性能を表わし；
商業的に入手可能な構成要素で実現することができる。
【００２０】
本発明の原理、好適な実施例、及び動作のモードを、以上の説明に記述してきた。しかし、開示した特定形態は例示的なものであり、限定的なものではないので、保護すべき発明は、これらの特定形態に限定されるものではない。本発明の範囲を逸脱することなく、当業者が変更及び変形を加えることができる。従って、以上の詳細な説明は好適なものであり、請求項に記載の本発明の範疇に限定されるものではない。
【図面の簡単な説明】
【図１】本発明のシステムのブロック図である。
【図２】図１のシステムの具体例を図式的に示す図である。
【国際公開パンフレット】
2004505530.tif 000002
2004505530.tif 000003
2004505530.tif 000004
2004505530.tif 000005
2004505530.tif 000006
2004505530.tif 000007
2004505530.tif 000008
2004505530.tif 000009
2004505530.tif 000010
2004505530.tif 000011
2004505530.tif 000012
2004505530.tif 000013
2004505530.tif 000014
2004505530.tif 000015
【国際公開パンフレット（コレクトバージョン）】
2004505530.tif 000016
【国際公開パンフレット（コレクトバージョン）】
2004505530.tif 000017
【国際調査報告】
2004505530.tif 000018
2004505530.tif 000019
2004505530.tif 000020
2004505530.tif 000021